(57)【特許請求の範囲】
【請求項１】
磁性体の塗布されたシート状の基材を磁気記録媒体本体の大きさに合わせて切断して製造される磁気記録媒体であって、
前記シート状の基材には、分離コード部を中間に介在させることなく前記磁気記録媒体本体を管理するための磁気バー又は磁気透かしで形成される所定のデータが連続して形成されていることを特徴とする磁気記録媒体。
【請求項２】
磁気記録媒体本体の搬送方向に沿う一部分に分離コード部を中間に介在させることなくその磁気記録媒体本体を管理するための磁気バー又は磁気透かしで形成される所定のデータが連続して形成されている磁気記録媒体の処理装置であって、
前記磁気記録媒体に形成されている前記所定のデータを読取る読取手段と、
読取られた前記所定のデータの所定の一部分を抽出する抽出手段と、
抽出されたデータを前記磁気記録媒体、又はその磁気記録媒体を処理する処理装置の記憶部にその磁気記録媒体の個有のデータとして書込む書込手段と、
を有することを特徴とする磁気記録媒体の処理装置。
【請求項３】
書込手段は、抽出されたデータを暗号化処理して書込むことを特徴とする請求項２記載の磁気記録媒体の処理装置。
【請求項４】
磁気記録媒体本体の搬送方向に沿う一部分に形成されているその磁気記録媒体本体を管理するための磁気バー又は磁気透かしで形成される所定のデータを抽出してその磁気記録媒体本体、又はその磁気記録媒体本体を処理する処理装置の記憶部に書込む書込手段を有する磁気記録媒体の処理装置であって、
前記書込手段は、前記磁気記録媒体本体の搬送方向始端側に形成されている所定の部分を除いた前記所定のデータを書込むことを特徴とする磁気記録媒体の処理装置。
【発明の詳細な説明】
【０００１】
【発明の属する技術分野】
本発明は、磁気バー又は磁気透かしの形成されている磁気情報記録媒体、及びその磁気情報記録媒体の処理装置に関する。
【０００２】
【従来の技術】
従来、例えば、プリペイドカード等の磁気情報記録媒体（以下、磁気カードという）には、磁気カードの管理等に便利なように、磁気バー又は磁気透かしを形成することが提案されている（例えば、特開平６−３１４３５８号公報）。
【０００３】
図３は、本出願人が、先に提案した磁気カードを示すものであって、その磁気カードをロール状に巻回されているシート状の基材Ｃ0 から複数の磁気カードＣ1 ，Ｃ2 …を製造する例を示している。ここにおける基材Ｃ0 は、各磁気カードＣ1 ，Ｃ2 …の幅（各磁気カードＣ1 ，Ｃ2 …が、図示しない磁気カードへのデータの書込み，読取り等を行う磁気カード処理機内で搬送される方向と直交する方向の長さ。）と同じ幅を有し、かつ磁性体が塗布されて構成されている。なお、実際のシート状の基材Ｃ0 の幅方向は、複数枚の磁気カードを並列した長さであるが、ここでは、説明を簡単にするために１枚の磁気カードの幅としている（後述する図１の基材Ｃ0 も同様である。）。
【０００４】
各磁気カードＣ1 ，Ｃ2 …は、基材Ｃ0 の長手方向と直交する線に沿って、各磁気カードＣ1 ，Ｃ2 …の大きさに図示しないカッターで切断して形成される。図示の一点鎖線は、カッターで切断される位置を示している。
【０００５】
図中、Ｔ′は磁気バー又は磁気透かしを形成する磁気トラックであって、基材Ｃ0 の長手方向に沿って、所定の分離コードのデータからなる分離コード部Ｓを挾んで所定のデータからなるデータ部Ｄ1 ，Ｄ2 …が設けられている。このトラックＴ′に記録される磁気バー又は磁気透かしは、基材Ｃ0 …を製造する際に形成される。そして、この磁気トラックＴに形成されているデータ部Ｄ1 ，Ｄ2 …は、基材Ｃ0 を磁気カードの大きさにどの位置で切断しても、各カードＣ1 ，Ｃ2 …に少なくとも１つの完全なデータ部が含まれるように決められている。なお、上述の分離コード部Ｓは、全くデータを形成しない空白部とすることもできる。
【０００６】
図３に示される磁気トラックＴ′に形成されている各データ部Ｄ1,Ｄ2 …は、各磁気カードＣ1 ，Ｃ2 …を識別するために用いることのできるデータの例であり、磁気カードＣ3 を例に説明すると、この磁気カードＣ3 には、完全なデータ部としてＤ6 が含まれている。したがって、この磁気カードＣ3 が基材Ｃ0 から切断されて磁気カードとして完成したときは、このデータＤ6 が磁気カードＣ3 の個有のデータ、つまりカードＩＤとして使用することができる。
【０００７】
【発明が解決しようとする課題】
しかしながら、上記従来の磁気カードは、磁気トラックＴ′に形成されている磁気バー又は磁気透かしを利用して簡単にカードＩＤを作れるという特長を有しているが、基材に所定のデータ長を所定の分離コード部を中間に挾んで形成しなければならないという面倒があるとともに、磁気カードからデータを読取るときは、完全なデータ部及び不完全なデータ部を区別して読取らなければならず、また、図３に示される磁気カードＣ5 のように、一つの磁気カードに２つの完全なデータ部Ｄ10，Ｄ11が含まれているときは、いずれか一方のデータ部を選択して磁気カードＣ5 の個有データとしなければならないという面倒があった。さらに、磁気トラックＴ′中に分離コード部を有しているので、磁気トラックＴ′のデータを有効利用できない部分が存在していた。
【０００８】
そこで、本発明は、上記欠点を解決するためになされたものであって、その目的は、製造が容易で、かつ、データの有効活用が可能であり、しかも、読取処理の容易な磁気カード、及びその処理装置を提供することにある。
【０００９】
【課題を解決するための手段】
本発明の請求項１に係る磁気カードは、上記目的を達成するために、磁性体の塗布されたシート状の基材を磁気カード本体の大きさに合わせて切断して製造される磁気カードであって、前記シート状の基材には、分離コード部を中間に介在させることなく前記磁気カード本体を管理するための磁気バー又は磁気透かしで形成される所定のデータが連続して形成されていることを特徴としている。
【００１０】
本発明の請求項２に係る磁気カードの処理装置は、上記目的を達成するために、磁気カード本体の搬送方向に沿う一部分に分離コード部を中間に介在させることなくその磁気カード本体を管理するための磁気バー又は磁気透かしで形成される所定のデータが連続して形成されている磁気カードの処理装置であって、前記磁気カードに形成されている前記所定のデータを読取る読取手段と、読取られた前記所定のデータの所定の一部分を抽出する抽出手段と、抽出されたデータを前記磁気カード、又はその磁気カードを処理する処理装置の記憶部にその磁気カードの個有のデータとして書込む書込手段と、を有することを特徴としている。
また、本発明の請求項３に係る磁気カードの処理装置は、書込手段は、抽出されたデータを暗号化処理して書込むことを特徴としている。
【００１１】
本発明の請求項４に係る磁気カードの処理装置は、磁気カード本体の搬送方向に沿う一部分に形成されているその磁気カード本体を管理するための磁気バー又は磁気透かしで形成される所定のデータを抽出してその磁気カード本体、又はその磁気カード本体を処理する処理装置の記憶部に書込む書込手段を有する磁気カードの処理装置であって、前記書込手段は、前記磁気カード本体の搬送方向始端側の所定の部分を除いた前記所定のデータを書込むことを特徴としている。
【００１２】
【発明の実施の形態】
以下、本発明の実施の形態を図面に基づいて説明する。図１は、一実施の形態に係る磁気カードの製造例を示す説明図であるとともに、製造された磁気カードの処理装置の概略構成図である。なお、上記図３の従来例と同一構成要素には同一符号を用いて説明する。
【００１３】
基材Ｃ0 は、従来の基材と同様に、各磁気カードＣ1 ，Ｃ2 …の幅（各磁気カードＣ1 ，Ｃ2 …が図示しない磁気カードの処理装置（以下、磁気カード処理装置として説明することもある。）内で搬送される方向と直交する方向の長さ）と同じ幅を有し、かつ、磁性体が塗布されて構成されている。
【００１４】
各磁気カードＣ1 ，Ｃ2 …は、基材Ｃ0 の長手方向と直交する線に沿って、各磁気カードＣ1 ，Ｃ2 …の大きさに図示しないカッターで切断して形成されている。図１の一点鎖線は、カッターの切断位置を示している。また、図１の下部に示される磁気カードＣ3 は、切断して形成された１枚の磁気カードを示している。
【００１５】
図中、Ｔは磁気バー又は磁気透かしを形成するトラックであって、基材Ｃ0 の長手方向に沿って、かつ所定の幅を有して設けられている。このトラックＴに形成される磁気バー又は磁気透かし（以下、磁気バーで説明する。）は、基材Ｃ0 …を製造する際に形成される。
【００１６】
トラックＴに形成されているデータフォーマットは、従来の所定のデータ長を分離コード部を挾んで形成されたものと異なり、連続したデータに形成されている。以下、基材Ｃ0 を切断して得られた磁気カードＣ3 を例に説明する。
【００１７】
磁気カードＣ3 のトラックＴには、上述したように連続したデータが記録されている。そして、この磁気カードＣ3 には、トラックＴに平行して書込トラックｔが設けられている。
【００１８】
図中、Ｈ1 は、トラックＴのデータを読取るための読取ヘッド、及びＨ2 は、書込トラックｔにデータを書込むための書込ヘッドである。そして、この磁気カードＣ3 が磁気カード処理装置に挿入されたときは、以下のようにして磁気カードＣ3 の個有のデータであるカードＩＤが形成される。
【００１９】
先ず、磁気カードＣ3 が磁気カード処理装置の搬送機構により矢印方向に搬送されると、トラックＴの連続したデータが読取られ、その読取られたデータは磁気カード処理装置のメモリ（図示せず）に記憶される。メモリに記憶されたデータのうち、読取り当初のデータ、すなわち搬送始端側の磁気カードＣ3 のエッジ部のデータ（図１のＬ1 参照）は廃棄され、その後の、つまり図１のＬ2 に当る部分のデータが書込ヘッドＨ2 を介して書込トラックｔに書込まれる。なお、上記Ｌ1 及びＬ2 は磁気カードＣ3 の搬送距離に相当している。図２の「Ｌ」で表示される部分も同じである。
【００２０】
書込ヘッドＨ2 より書込トラックｔに書込まれたデータ、すなわち、トラックＴに予め形成されていたデータのうちから抽出された一部分のデータは、磁気カードＣ3 を特定するカードＩＤとなり、以後、磁気カード処理装置において、このカードＩＤを用いて種々の処理が行われる。
【００２１】
なお、トラックｔに書込まれるデータは、トラックＴから読取ったデータをそのまま書込んでもよいが、トラックＴから読取ったデータを圧縮して書込みスペースを小さくするようにしてもよく、また、トラックＴから読取ったデータを暗号化して書込んでセキュリティを高めるようにしてもよい。
【００２２】
上述の例は、トラックＴのデータから得られた磁気カードＣ3 のカードＩＤを磁気カードＣ3 に書込むようにしたが、このカードＩＤを磁気カードＣ3 に書込まずに、磁気カードＣ3 の磁気カード処理装置のメモリ（記憶部）に記憶しておくようにすることもできる。もちろん、上述のように、磁気カードＣ3 に書込むとともに、磁気カード処理装置のメモリにも記憶しておくことも可能である。
【００２３】
図２を用いてトラックＴに形成されているデータを用いたカードＩＤの作成について説明する。
【００２４】
先ず、カードＩＤの作成は、磁気カードＣ3 が磁気カード処理機に挿入された時に行われる。すなわち、磁気カード処理機（図示せず）に磁気カードＣ3 が挿入されると、その磁気カード処理機に組込まれている搬送機構により磁気カードＣ3 が搬送される途中、図示しない読取ヘッドによりトラックＴに形成されているデータが読取られる。
【００２５】
ところで、磁気カードＣ3 の搬送始端側に当るカードエッジ部の読取データは、不安定であるので、図２のＬ1 Ｉの部分のデータは利用せずに廃棄し、このＬ1 Ｉ部の後のデータのＬ2 Ｉの部分が利用される。つまり、安定して読取られたデータを利用して磁気カードＣ3 のカードＩＤ（仮に、これを「パターン１」とする。）が抽出されて磁気カード処理機の図示しないメモリに記憶される。そして、その記憶されたパターン１は、上述したように、圧縮処理して、又は暗号化処理して、場合によってはこれら両処理を行ったのち、図示しない書込ヘッドを介して書込トラックｔに書込まれる。
【００２６】
なお、上述の読取ヘッドで読取られるトラックＴに形成されているデータは、必ずしも連続したデータでなくともよいが、上述のように連続したデータであればより有効利用を図ることができる。また、上述のＬ1 Ｉ及びＬ2 Ｉの長さは、固定としてもよいが可変にすると、よりセキュリティに優れたものとすることができる。さらに、Ｌ2 Ｉの後の部分をさらに抽出して、つまりＬ1 Ｉ及びＬ2 Ｉを複数個設定して複数個の「パターン２」，「パターン３」…を書込トラックｔへ書込むようにすることもできる。
【００２７】
【発明の効果】
本発明の請求項１に係る磁気カードは、磁性体の塗布されたシート状の基材を磁気カード本体の大きさに合わせて切断して製造される磁気カードであって、前記シート状の基材には、分離コード部を中間に介在させることなく前記磁気カード本体を管理するための磁気バー又は磁気透かしで形成される所定のデータが連続して形成されているので、簡単にカードＩＤ等のデータを作成することができる。
【００２８】
本発明の請求項２に係る磁気カードの処理装置は、磁気カード本体の搬送方向に沿う一部分に分離コード部を中間に介在させることなくその磁気カード本体を管理するための磁気バー又は磁気透かしで形成される所定のデータが連続して形成されている磁気カードの処理装置であって、前記磁気カードに形成されている前記所定のデータを読取る読取手段と、読取られた前記所定のデータの所定の一部分を抽出する抽出手段と、抽出されたデータを前記磁気カード、又はその磁気カードを処理する処理装置の記憶部にその磁気カードの個有のデータとして書込む書込手段とからなるので、磁気カードに形成された連続したデータを有効に用いて簡単に磁気カードの個有データを作ることができる。
また、本発明の請求項３に係る磁気カードの処理装置は、データ書込みに際し、暗号化して書込むようにしたので、セキュリティを高めることができる。
【００２９】
本発明の請求項４に係る磁気カードの処理装置は、磁気カード本体の搬送方向に沿う一部分に形成されているその磁気カード本体を管理するための磁気バー又は磁気透かしで形成される所定のデータを抽出してその磁気カード本体、又はその磁気カード本体を処理する処理装置の記憶部に書込む書込手段を有する磁気カードの処理装置であって、前記書込手段は、前記磁気カード本体の搬送方向始端側に形成されている所定の部分を除いた前記所定のデータを書込むことを特徴としたので、磁気カードのエッジ部の不安定なデータを除いて利用することができる。
【図面の簡単な説明】
【図１】本発明の一実施の形態に係る磁気カードの製造例を示す説明図であるとともに、製造された磁気カード処理装置の概略構成図である。
【図２】書込処理の説明図である。
【図３】従来の磁気カードの製造例を示す説明図であるとともに、製造された磁気カードの磁気カード処理装置の概略構成図である。
【符号の説明】
Ｃ1 ，Ｃ2 …磁気記録媒体（磁気カード）
Ｃ0         基材
Ｔ          トラック
ｔ          書込みトラック
Ｈ1         読取ヘッド
Ｈ2         書込ヘッド
【図１】
0003602926.tif 000002
【図２】
0003602926.tif 000003
【図３】
0003602926.tif 000004